(57)【要約】【課題】打設された複数の構台杭の杭頭高を設計杭頭高に容易に調整することができ、かつその上に作業構台を効率的に構築できる構台杭の杭頭構造及び杭頭キャップを提供する。【解決手段】複数の構台杭1のそれぞれの杭頭に杭頭キャップ3を設置する。構台杭1,1間に敷桁4を架設する。構台杭1に羽根付き鋼管杭を用いる。敷桁4は各構台杭1の杭頭に設置された杭頭キャップ3にボルト締結する。杭頭キャップ3は構台杭1の上端部に固定されたキャップ本体3aとキャップ本体3aの上端部に設けられたベースプレート3bとキャップ本体3aとベースプレート3bとの隅角部に設けられた複数の補強リブ3cとを備えている。キャップ本体3aの高さhは構台杭1の杭頭高h1毎に設計杭頭高h2に合わせて決定する。【選択図】図1
2020180518.tif 000002
【特許請求の範囲】
【請求項１】
地盤中に打設された羽根付き鋼管杭からなる複数の構台杭と、前記構台杭のそれぞれの杭頭に立設された複数の構台柱と、前記構台柱間に架設された複数の大引および複数の垂直ブレースと前記大引間に架設された複数の根太および前記根太の上に敷設された複数の覆工板とを備えてなる作業構台において施工される構台杭の杭頭構造であって、前記構台杭の杭頭に、前記構台杭間の杭頭高を同一高に調整する杭頭キャップが設置され、前記杭頭キャップは、前記構台杭の設定された杭頭高に対して不足する高さを補足する高さに形成され、前記構台杭の杭頭に固定されたキャップ本体と、前記キャップ本体の上端部に設けられ、前記構台柱が固定されたベース部と、前記キャップ本体と前記ベース部との隅角部に設けられ、前記キャップ本体および前記ベース部を補強する複数の補強リブを備えていることを特徴とする作業構台の杭頭構造。
【請求項２】
請求項１記載の構台杭の杭頭構造において、前記構台杭間に敷桁が架設され、前記敷桁の上に前記構台柱が立て付けられていることを特徴とする作業構台の杭頭構造。
【請求項３】
羽根付き鋼管杭からなる複数の構台杭と、当該構台杭のそれぞれの杭頭に立設された複数の構台柱と、前記構台柱間に架設された複数の大引および複数の垂直ブレースと前記大引間に架設された複数の根太および前記根太の上に敷設された複数の覆工板とを備えてなる作業構台において施工される構台杭の杭頭に設置される杭頭キャップであって、前記杭頭キャップは、前記構台杭の設定された杭頭高に対して不足する高さを補足する高さに形成され、前記構台杭の杭頭に固定されるキャップ本体と、前記キャップ本体の上端部に設けられ、前記構台柱が固定されるベース部と、前記キャップ本体と前記ベース部との隅角部に設けられ、前記キャップ本体および前記ベース部を補強する複数の補強リブとを備えていることを特徴とする杭頭キャップ。
【発明の詳細な説明】
【技術分野】
【０００１】
本発明は、構台杭の杭頭構造および構台杭の杭頭に設置される杭頭キャップに関し、打設された複数の構台杭の杭頭高を設定された杭頭高に容易に調整することができ、かつその上に作業構台を効率的に構築できるようにしたものである。
【背景技術】
【０００２】
建築・土木工事では、建設機械の作業スペースや建設資材の仮置スペース等を確保のため、本体工事に先行して作業構台が構築される。
【０００３】
図４は、従来の作業構台の概要を図示したものであり、作業構台30は、地盤に一定間隔に離間して打設された複数の構台杭31,31の上に構築され、各構台杭31の上に立て付けられた構台柱32、構台柱32,32の上端部間に架設された大引33、大引33,33間に架設された根太34および根太34,34間に敷設された覆工板35、さらに各構台柱32,32間に架設された垂直ブレース36等からなり、特に、構台杭31には先端部に螺旋状の羽根を備えた羽根付き鋼管杭が用いられている。
【０００４】
羽根付き鋼管杭は、鋼管の先端部に地盤への回転貫入を容易にする翼を備え、特に低振動、低騒音、無排土施工が可能で環境への負荷が少ない。
【０００５】
また、大きな支持力を持ちながら撤去が容易で、かつ再使用が可能で経済性に優れているため、作業構台などの後々撤去される仮設構造物の基礎杭として用いられる。
【先行技術文献】
【特許文献】
【０００６】
【特許文献１】特開2003-55984号公報
【特許文献２】特開2009-24350号公報
【特許文献３】特開2005-76399号公報
【発明の概要】
【発明が解決しようとする課題】
【０００７】
しかし、羽根付き鋼管杭は、施工に際して杭頭レベルの管理が非常に難しく、施工される杭の全てについて杭頭高を一致させることは非常に困難であった。
【０００８】
このため、従来、打設された各構台杭の上に構台柱を立設して作業構台を構築する際は、各構台杭ごとに構台柱の長さを決め、また、構台柱に接合される大引や垂直ブレース等をボルト締結するためのボルト孔は、機械式穴明け機を用い現地で穴明けを行う必要があった。このため、施工効率が非常に悪く、工期の長期化等が避けられない等の課題があった。
【０００９】
本発明は、以上の課題を解決するためになされたもので、打設された複数の構台杭の杭頭高を設定された杭頭高に容易に調整することができ、かつその上に作業構台を効率的に構築できるようにした構台杭の杭頭構造および杭頭キャップを提供することを目的とするものである。
【課題を解決するための手段】
【００１０】
本発明は、地盤中に打設された羽根付き鋼管杭からなる複数の構台杭と、前記構台杭のそれぞれの杭頭に立設された複数の構台柱と、前記構台柱間に架設された複数の大引および複数の垂直ブレースと前記大引間に架設された複数の根太および前記根太の上に敷設された複数の覆工板とを備えてなる作業構台において施工される構台杭の杭頭構造の発明であり、前記構台杭の杭頭に、前記構台杭間の杭頭高を同一高に調整する杭頭キャップが設置され、前記杭頭キャップは、前記構台杭の設定された杭頭高(設計杭頭高)に対して不足する高さを補足する高さに形成され、かつ前記構台杭の杭頭に固定されたキャップ本体と、前記キャップ本体の上端部に設けられ、前記構台柱が固定されたベース部と、前記キャップ本体と前記ベース部との隅角部に設けられ、前記キャップ本体および前記ベース部を補強する複数の補強リブを備えていることを特徴とするものである。
【００１１】
前記構台杭には、特に先端部に螺旋状の羽根を備えた羽根付き鋼管杭が用いられていることで、低振動、低騒音、無排土施工が可能となり、環境への負荷を少なくすることができる。
【００１２】
また、羽根付き鋼管杭は、大きな支持力を持ちながら撤去が容易で、後々撤去される作業構台の基礎杭には適している。
【００１３】
通常は、各構台杭のそれぞれの杭頭に、設定された杭頭高(設計杭頭高)に対して不足する杭頭高を補足する高さに調整された杭頭キャップを設置し、その上に作業構台の構台柱を直接立て付けるが、作業構台の設置地盤が不安定であったり、或いは作業構台の床面積が広く作業構台の規模が大きいとき等には、前記杭頭キャップを設置した杭頭間に敷桁を架設し、その上に作業構台の構台柱を立て付けることにより、杭頭部を補強して作業構台の安定性を高めることができる。
【００１４】
その際、一部の杭頭キャップを省略し、その代替部材として杭頭と敷桁との間にプレート等を複数層に重ねて介在することにより、杭頭キャップの種類を減らすこともできる。
【００１５】
杭頭キャップは、鋼管と複数のプレートを用いて溶接により形成することができ、また、鋳造によって一体的に形成することもできる。
【発明の効果】
【００１６】
本発明は、打設された複数の構台杭の杭頭に杭頭キャップを設置することにより、構台杭間の杭頭高を同じ高さに容易に調整することができ、これにより各構台杭の杭頭に構台柱を立て付けて作業構台をきわめて効率的に構築することができる。
【００１７】
特に、構台柱と大引間や垂直ブレース間などの各部材間の接合は、原則、接合ボルト(図省略)によってなされるため、杭頭キャップによって構台杭の杭頭高を全て同じ杭頭高に調整することにより、構台柱や垂直ブレース等のカットや穴あけ加工は、全て工場にて正確かつ容易に行うことができ、また、これにより、現地における作業構台の構築もきわめて効率的に行うことができる。
【図面の簡単な説明】
【００１８】
【図１】本発明の一実施形態を図示したものであり、(a)は複数の構台杭の杭頭間に敷桁を架設し、その上に構台柱を立て付けて構築された作業構台の正面図、(b)は作業構台と作業構台を支持する構台杭との取合い部を示す正面図である。
【図２】杭頭キャップを図示したものであり、(a)は一部破断正面図、(b)は平面図である。
【図３】本発明の他の実施形態を図示したものであり、(a)は複数の構台杭のそれぞれの杭頭上に構台柱を直接立て付けて構築された作業構台の正面図、(b)は作業構台と作業構台を支持する構台杭との取合い部を示す正面図である。
【図４】従来の作業構台を示す正面図である。
【発明を実施するための形態】
【００１９】
図１と図２は、本発明の一実施形態を図示したものであり、地盤中に打設された複数の構台杭、複数の構台杭の上に構築された作業構台および複数の構台杭のそれぞれの杭頭に設置された杭頭キャップを図示したものである。
【００２０】
図において、一定区画の敷地内の地盤中に複数の構台杭１が作業構台２の桁行方向および梁間方向に所定間隔に離間して打設され、当該各構台杭１のそれぞれの杭頭に杭頭キャップ３が設置されている。
【００２１】
構台杭１には、特に先端部に螺旋状の羽根を備えた羽根付き鋼管杭が用いられている。羽根付き鋼管杭は、鋼管の先端部に地盤への回転貫入を容易にする翼を備えていることで、特に低振動、低騒音、無排土施工が可能で環境への負荷が少ない。
【００２２】
また、大きな支持力を持ちながら撤去が容易で、しかも繰り返しの使用が可能で経済性にも優れているため、作業構台などの後々撤去される仮設構造物の基礎杭などに適している。
【００２３】
杭頭キャップ３は、地盤中に打設された各構台杭１の杭頭高を、設定された杭頭高(設計杭頭高)に調整するための高さ調整部材であり、構台杭１の上端部に取り付けられたキャップ本体3aと、キャップ本体3aの上端部に取り付けられたベースプレート3bと、キャップ本体3aとベースプレート3bとの隅角部(入隅部)に取り付けられた複数の補強リブ3cとを備えている。
【００２４】
キャップ本体3aは、構台杭１とほぼ同径の鋼管から形成され、特にその高さｈは、各構台杭１の杭頭高ｈ1ごとに設計杭頭高ｈ2に対して不足する高さを補足する高さｈに設定されている。
【００２５】
例えば、構台杭１の杭頭高がｈ1で設計杭頭高ｈ2より低いときは、キャップ本体3aはｈ2−ｈ1の高さｈに形成されている。したがって、キャップ本体3aは、設置される各構台杭１ごとに高さｈが異なっている。
【００２６】
このように形成されたキャップ本体3aは、各構台杭１の上端部に溶接によって一体的に取り付けられ、これにより各構台杭１の杭頭高は、すべて設計杭頭高ｈ2に統一されている。
【００２７】
ベースプレート3bは、キャップ本体3aの外径より大きい寸法の板状に形成され、キャップ本体3aの上端部に一体的に溶接されている。また、ベースプレート3bの所定位置に後述する敷桁４をボルト締結するためのボルト孔3dが複数形成されている。
【００２８】
なお、ベースプレート3bの平面形状は、特に限定されるものではなく、図示するような矩形板状でも円形板状であってもよい。また、補強リブ3cは、キャップ本体3aの円周方向に等間隔に配置され、キャップ本体3aおよびベースプレート3bに一体的に溶接されている。
【００２９】
また、キャップ本体3a、ベースプレート3bおよび補強リブ3cは、工場において杭頭キャップ３として溶接により一体的に製作されており、特に、キャップ本体3aは、全ての構台杭１に対応できるように長めに形成し、現地にて設置される構台杭１の杭頭高ｈ1に合わせてカットするようにしてもよい。
【００３０】
また、キャップ本体3a、ベースプレート3bおよび補強リブ3cは、鋳造により杭頭キャップ３として一体的に形成することもできる。
【００３１】
作業構台２の桁行方向および梁間方向の各構台杭１,１の上端部間に敷桁４が架設されている。敷桁４には主としてＨ形鋼が用いられ、各構台杭１の上端部に設置された杭頭キャップ３のベースプレート3bの上に載置され、かつボルト孔3dを貫通する複数の締結ボルト５によって脱着可能に固定されている。
【００３２】
さらに、各敷桁４の上に作業構台２の構台柱６が桁行方向および梁間方向に所定間隔に離間して立て付けられている。構台柱６には主としてＨ形鋼が用いられ、また、構台柱６は構台杭１の直上に立て付けられ、かつ敷桁４の上に複数の固定ボルト７によってボルト締結することで脱着可能に固定されている。
【００３３】
さらに、作業構台２の梁間方向に隣接する各構台柱６,６の上端部間に大引８が架設され、各大引８,８間に根太９が架設されている。また、各根太９,９間に覆工板10が敷設され、かつ桁行方向および梁間方向に隣接する各構台柱６,６間に垂直ブレース11が架設されている。
【００３４】
大引８、根太９および垂直ブレース11にはＨ形鋼や溝形鋼、或いは山形鋼などが用いられている。また、各構台柱６と大引８間、各大引８と根太９間、各根太９と覆工板10間および各構台柱６と垂直ブレース10間の各接合部は、原則全てが複数の接合ボルト(図省略)によって接合されている。
【００３５】
また、構台杭１の杭頭に杭頭キャップ３を設置することにより、各構台杭１の杭頭高が全て同じ杭頭高に統一されていることで、構台柱１などの各部材のカットや穴あけ等の加工は、原則全てを工場で行うことができ、特に構台柱６のカットや穴あけ加工は、杭頭高を基準に工場にて正確かつ容易に行うことができる。
【００３６】
また、これにより、現地における作業構台の構築もきわめて効率的に行うことができる。
【００３７】
図３(a),(b)は、本発明の他の実施形態を図示したものであり、
図１,２における敷桁が省略され、各構台杭１の杭頭に設置された杭頭キャップ３の上に構台柱６が直接立て付けられている。
【００３８】
また、杭頭キャップ３のベースプレート3bの上に複数の固定ボルト７によって固定されている。特に、作業構台の設置地盤が比較的安定している場合や、構台柱６の数が少なく、比較的小規模な作業構台などの構築に適している。
【産業上の利用可能性】
【００３９】
本発明は、一定区画の地盤中に打設された複数の構台杭の杭頭高を設定された杭頭高に容易に調整することができ、かつその上に作業構台を効率的に構築することができる。
【符号の説明】
【００４０】
１  構台杭
２  作業構台
３  杭頭キャップ
3a  キャップ本体
3b  ベースプレート(ベース部)
3c  補強リブ
3d  ボルト孔
４  敷桁
５  締結ボルト
６  構台柱
７  固定ボルト
８  大引
９  根太
10  覆工板
11  垂直ブレース
【図１】
2020180518.tif 000003
【図２】
2020180518.tif 000004
【図３】
2020180518.tif 000005
【図４】
2020180518.tif 000006